(57)【要約】      （修正有）【課題】使用後の排水が簡便であり、かつ、壁面に一体化して洗面盤を収納することができる洗面装置を提供する。【解決手段】前面に開口部１２を有する格納室１１の中に、水道口２１を支持する支持台２２と、格納室１１の開口部１２に対して回動可能に取り付けられており、かつ、支持台２２と面接触することにより固定される、水道口２１から吐出される水を受けるための洗面盤３１と、排水口を有する、洗面盤３１から流れ出た水を受けるための受水盤５１と、受水盤５１が受けた水を排水口を通じて排水するための排水管６１とを備えてなる格納型洗面装置。【選択図】図１
2014018462.tif 000002
【特許請求の範囲】
【請求項１】
前面に開口部を有する格納室の中に、
水道口を支持する支持台と、
前記格納室の開口部に対して回動可能に取り付けられており、かつ、前記支持台と面接触することにより固定される、前記水道口から吐出される水を受けるための洗面盤と、
排水口を有する、前記洗面盤から流れ出た水を受けるための受水盤と、
前記受水盤が受けた水を前記排水口を通じて排水するための排水管と
を備えてなる格納型洗面装置。
【請求項２】
前記洗面盤は、水を受ける面および該水を受ける面を囲む周壁を有し、該周壁の後方にある下端部において水を受ける面の延長方向に延長張り出し部を有し、かつ、該延長張り出し部の一部またはその直上付近に貫通孔が設けられている、請求項１に記載の格納型洗面装置。
【請求項３】
前記受水盤は、前記格納室の後壁面側に垂直方向に延びる後方張り出し部を有する、請求項１または２に記載の格納型洗面装置。
【請求項４】
前記後方張り出し部は、その上方端から下方端に向けて傾斜を有し、かつ、該上方端は、前記洗面盤が前記支持台と面接触することにより固定されている場合において、前記洗面盤の延長張り出し部の下方端よりも高い位置にある、請求項３に記載の格納型洗面装置。
【請求項５】
前記洗面盤は、その水を受ける面の裏にある背面が傾斜を有し、かつ、前記周壁の後方部の高さは前記周壁の前方部の高さより大きい、請求項２〜４のいずれか１項に記載の格納型洗面装置。
【請求項６】
前記受水盤は、その最大の水平方向の断面積が前記格納室内の水平方向の断面積の８０〜１００％である、請求項１〜５のいずれか１項に記載の格納型洗面装置。
【発明の詳細な説明】
【技術分野】
【０００１】
本発明は、洗面盤が回動可能に取り付けられた、新規な格納型洗面装置に関する。
【背景技術】
【０００２】
一般的に、洗面台は、水道口と、排水口が設けられた洗面盤および排水管とからなる。洗面盤は、水道口から吐出された水を受けることができ、または排水口を閉じることによって一時的に水を溜めることができる。使用後の水は、洗面盤に設けられた排水口を通じて排水管へと排水される。一般的な洗面台は、洗面盤が壁面から手前に大きく張り出した形状をしている。
【０００３】
しかし、洗面盤の張り出した部分は、未使用時にはデッドスペースとなり、特に日本の狭小な独身世帯住宅においては不要なスペースとされている。これに対して、特許文献１に記載のような壁面に洗面盤（水層）が収納される水まわり設備装置や、特許文献２に記載のような壁面から張り出した洗面盤が取付基盤に対して回動可能に取り付けられた洗面装置が提案されている。
【先行技術文献】
【特許文献】
【０００４】
【特許文献１】特開平１−２０９０２１号公報
【特許文献２】特開２００８−２９８０６号公報
【発明の概要】
【発明が解決しようとする課題】
【０００５】
しかしながら、特許文献１に記載の水まわり設備装置は、洗面盤と排水管とが直接連結されていることにより、使用後に洗面盤を収納する際に、洗面盤で受けた水を徐々に排水しなければならず、さらに洗面盤から溢れ出た水を処置することが難しいとの問題を有する。また、特許文献２に記載の洗面装置は、取付基盤と一体的に取り付けられた洗面盤とからなるものであることから、未使用時に外部から見えないように壁面に格納しようとする場合には、取付基盤および洗面盤に加えて洗面装置全体を格納する格納室が必要であり、構造が複雑になるとの問題がある。
【０００６】
そこで、本発明の目的は、特許文献１および２の記載の装置に比して、使用後の排水が簡便であり、かつ、壁面に一体化して洗面盤を収納することができる洗面装置を提供することにある。
【課題を解決するための手段】
【０００７】
本発明者らは、上記課題を解決するために、まず、洗面盤を格納室に回動可能に取り付けて、未使用時に外部から洗面盤が見えないような格納型洗面装置について鋭意研究を進めた。従来技術にあるような洗面盤と排水管とが連結されている構造を有する洗面装置について検討したところ、排水管を省略して、洗面盤から流れ出た水が直接排水されるような機構にすれば、使用後の排水が簡便になるのではないかという考えに至った。この考えに基づいて、本発明者らは、洗面盤から排水管を取り除き、後方側下端部に貫通孔を設けた洗面盤と、該貫通孔を通じて流れ出る水を受けるための受水盤とを備えた格納型洗面装置を開発することに成功した。
【０００８】
さらに、この格納型洗面装置において、洗面盤が水平方向に保たれている使用時に洗面盤へ水を流すと、水を受ける面の裏にある背面に水が滴る蓋然性があることから、洗面盤の後方側の下端部において格納室の後壁面側に張りだした延長張り出し部を設け、さらにその延長張り出し部の直上に貫通孔を設けたところ、使用時に水を流した際に洗面盤の背面に水が滴ることを回避できるようになった。
【０００９】
本発明者らは、さらに格納型洗面装置の占有面積の狭小化を試みようとした。その結果、格納型洗面装置の占有面積を小さくしようとすると、使用時に洗面盤の貫通孔を通じて流れ出た水が格納室の後壁面に当たって、格納室内に細菌やカビなどの微生物や汚れが発生するという問題が生じることを見出した。そこで、本発明者らは、格納型洗面装置について種々の検討を重ねたところ、受水盤の後方側（格納室の後壁面側）に垂直方向に延びる後方張り出し部を設け、さらにこの後方張り出し部を上方端から下方端に向けて傾斜を有するものとし、かつ、その上方端は使用時において洗面盤の延長張り出し部の下方端よりも高い位置にあるものとすることによって、使用時に洗面盤の貫通孔を通じて流れ出た水は格納室の後壁面に当てることなく、受水盤を経由して排水管へ排水されることを見出した。
【００１０】
このようにして最終的に完成された格納型洗面装置は、たとえ格納室の占有面積を小さくしたとしても、使用後の排水が簡便であり、かつ、壁面に一体化して洗面盤を収納することができるという特徴だけではなく、格納室内の壁面への水の跳ねがほとんどない、清潔に維持され得る洗面装置である。本発明は、これらの知見に基づいて完成された発明である。
【００１１】
したがって、本発明によれば、前面に開口部を有する格納室の中に、水道口を支持する支持台と、前記格納室の開口部に対して回動可能に取り付けられており、かつ、前記支持台と面接触することにより固定される、前記水道口から吐出される水を受けるための洗面盤と、排水口を有する、前記洗面盤から流れ出た水を受けるための受水盤と、前記受水盤が受けた水を前記排水口を通じて排水するための排水管とを備えてなる格納型洗面装置が提供される。
【００１２】
好ましくは、前記洗面盤は、水を受ける面および該水を受ける面を囲む周壁を有し、該周壁の後方にある下端部において水を受ける面の延長方向に延長張り出し部を有し、かつ、該延長張り出し部の一部またはその直上付近に貫通孔が設けられている。
【００１３】
好ましくは、前記受水盤は、前記格納室の後壁面側に垂直方向に延びる後方張り出し部を有する。
【００１４】
好ましくは、前記後方張り出し部は、その上方端から下方端に向けて傾斜を有し、かつ、該上方端は、前記洗面盤が前記支持台と面接触することにより固定されている場合において、前記洗面盤の延長張り出し部の下方端よりも高い位置にある。
【００１５】
好ましくは、前記洗面盤は、その水を受ける面の裏にある背面が傾斜を有し、かつ、前記周壁の後方部の高さは前記周壁の前方部の高さより大きい。
【００１６】
好ましくは、前記受水盤は、その最大の水平方向の断面積が前記格納室内の水平方向の断面積の８０〜１００％である。
【発明の効果】
【００１７】
本発明の格納型洗面装置は、格納室の中に、回動可能な洗面盤と、洗面盤から流れ出た水を受けるための受水盤とを備えたものであることから、従来技術である特許文献１の記載の装置に比して使用後の排水が簡便であり、かつ、特許文献２に記載の装置とは異なり壁面に一体化して洗面盤を収納することができる。
【００１８】
さらに、本発明の格納型洗面装置は、洗面盤が有する周壁の後方にある下端部に延長張り出し部を設け、かつ、該延長張り出し部の一部またはその直上付近に貫通孔を設けることにより、使用時だけではなく、使用した後も、洗面盤の背面を清潔に維持できる。
【００１９】
また、受水盤の後方側に後方張り出し部を設け、さらにこの後方張り出し部は傾斜を有し、かつ、使用時に洗面盤の延長張り出し部の下方端よりも高い位置にあるものとすることによって、洗面盤の貫通孔から流れ出た水が格納室内の背壁面に対して水跳ねすることを回避でき、本発明の格納型洗面装置をコンパクトなものにすることができる。
【００２０】
したがって、本発明の格納型洗面装置は、不要なスペースを省くことが望まれる、独身世帯住宅などの狭小な住宅での洗面設備として格別適したものである。また、本発明の格納型洗面装置は、壁面と一体化できることから、様々なバリエーションを持ち、かつ、優れた美観を有する洗面スペースを提供することが期待できる。
【図面の簡単な説明】
【００２１】
【図１】図１は、本発明の第１の実施態様に係る格納型洗面装置の使用時の外観斜視図である。
【図２】図２は、本発明の第２の実施態様に係る格納型洗面装置の使用時の側面断面図である。
【図３】図３は、本発明の第２の実施態様に係る格納型洗面装置の使用時の前面断面図である。
【図４】図４は、本発明の第３の実施態様に係る格納型洗面装置の使用時の側面断面図である。
【図５】図５は、本発明の第３の実施態様に係る格納型洗面装置の未使用時の側面断面図である。
【図６】図６は、本発明の第４の実施態様に係る格納型洗面装置の未使用時の前面断面図である。
【発明を実施するための形態】
【００２２】
以下に、本発明の一実施態様に係る格納室１１の中に、水道口２１を支持する支持台２２と、洗面盤３１と、受水盤５１と、排水管６１とを備えてなる格納型洗面装置を、図１ないし図６を用いて具体的に説明するが、本発明はこれらの図において具現化されているものに限定されない。
【００２３】
本発明に係る格納型洗面装置の一実施態様について、使用時の形態例を図１〜図３に示す。格納室１１は前面に開口部１２を有する。この開口部１２に対して回動可能な状態で洗面盤３１は取り付けられている。洗面盤３１は、水を受ける面３２およびこの水を受ける面３２を囲む周壁３４〜３７を有する。洗面盤３１は、周壁右方部３４および周壁左方部３５に設けられた回動軸３８によって、格納室１１の開口部１２に対して回動が可能となる。
【００２４】
洗面盤３１の水を受ける面３２で水が受けられるように、水道口２１を支持する支持台２２が格納室１１に取り付けられている。すなわち、水道口２１は水を受ける面３２より上方にある。格納室１１内において、支持台２２は洗面盤３１と同程度の高さで取り付けられる。
【００２５】
支持台２２は、格納室１１の後壁面側１３から開口部１２へ水平方向に張り出した水平張り出し部２３を有する。洗面盤３１は、回動可能ではあるが、周壁後方部３６の上端面が水平張り出し部２３に面接触することにより固定される。したがって、水平張り出し部２３は、洗面盤３１の回動を制止するストッパーの機能を果たす。水平張り出し部２３がストッパーの機能を果たすためには、回動軸３８より上方に位置しなければならない。
【００２６】
周壁後方部３６の下端部には、水を受ける面３２から延長方向に張り出した延長張り出し部３９を有する。また、延長張り出し部３９の直上に貫通孔４０が設けられる。貫通孔４０は、水を受ける面３２の延長線上として、延長張り出し部３９の一部において設けられてもよい。延長張り出し部３９の高さ（厚み）は特に限定されないが、周壁後方部４０の全体の高さに対して１／６〜１／３の高さであることが好ましい。
【００２７】
図２に示すように、洗面盤３１は、使用時において、水を受ける面３２の裏にある背面４１が傾斜を有するものであることが好ましい。この場合、水を受ける面３２もまた傾斜を有することとなり、水道口２１から吐出された水は洗面盤３１の周壁後方部３６に溜まることになり、吐出された水が周壁前方部３７を越えて使用者を濡らすことを防ぐ。背面４１の傾斜は、洗面盤３１の周壁後方部３６の高さ（厚み）を周壁前方部３７の高さより大きくすることにより設けられる。
【００２８】
洗面盤３１は延長張り出し部３９を有し、さらに背面４１が傾斜を有することにより、使用時において、洗面盤３１の水を受ける面３２で受けた水が貫通孔４０を通して排水される際に、排水された水が背面４１に滴ることを防ぎ、背面４１を清潔に保つことができる。貫通孔４０を通して排水された水は、受水盤５１で受けられる。
【００２９】
受水盤５１で受けた水は、受水盤５１に設けられた排水口５３を通じて、排水管６１へと排水される。図２に示されるように、格納室１１の後壁面から開口部１２へかけての奥行きを小さくして、本発明の格納型洗面装置が占有するスペースを狭小化しようとする場合、受水盤５１は、その後方部として、格納室１１の後壁面１３の側に垂直方向に延びる後方張り出し部５２を有することが好ましい。
【００３０】
図２に示されるとおり、本発明の格納型洗面装置を狭小化する場合、洗面盤３１から流れ出た水が直接格納室１１の後壁面１３に飛び散る蓋然性があり、または受水盤５１へと落下した水が跳ねて格納室１１の後壁面１３に付着する蓋然性がある。格納室１１の後壁面１３に付着した水は、カビや細菌などの微生物の発生の原因となり、かつ、水垢などの汚れが生じ得る。さらに、洗面盤３１と受水盤５１との間のスペースが小さい場合、格納室１１の後壁面１３に付着した水を雑巾で拭き取ることは困難である。そこで、受水盤５１に後方張り出し部５２を設けることにより、後方張り出し部５２は洗面盤３１から流れ出た水や受水盤５１へと落下した水が格納室１１の後壁面１３へと跳ね飛ぶことを遮断することができる。
【００３１】
後方張り出し部５２は洗面盤３１から流れ出た水を受け止めるものであることから、図２に示されているように、後方張り出し部５２は上端から下端に向けて傾斜を有することが好ましく、かつ、後方張り出し部５２の上方端は使用時において洗面盤３１が有する延長張り出し部３９の下方端と同程度またはそれより高い位置にあることが好ましい。
【００３２】
受水盤５１は、洗面盤３１から流れ出た水を、格納室１１内の受水盤５１の外へと飛び出させないようにするために、受水盤５１の水平方向の最大断面積が格納室１１内の水平方向の断面積と同等程度であればよく、たとえば、８０〜１００％であることが好ましい。受水盤５１の水平方向の最大断面積が格納室１１内の水平方向の断面積と１００％、すなわち等しい場合とは、後方張り出し部５２の少なくとも一部が格納室１１の後壁面１３と接しており、かつ、受水盤５１の前方の少なくとも一部が格納室１１の前面のいずれか一部と接している状態をいう。
【００３３】
受水盤５１で受けた水は、排水口５３から排水管６１を経由して本発明の格納型洗面装置の系外に排水される。排水管６１の形状は特に限定されず、図３に示すようにＳ字状であり得る。
【００３４】
本発明の格納型洗面装置は、上記構成を採用するものであれば特に限定されず、本発明の目的を失しない限り、追加の構成を採り得る。たとえば、図２が示すように、格納室１１の開口部１２付近において、洗面盤３１を回動した際に洗面盤３１の周壁前方部３７が接触する箇所に係止部１５ａを設け、係止部１５ａに対応する係止部１５ｂを周壁前方部３７に設けておけば、洗面盤３１を立てかける未使用時において、洗面盤３１が倒れないように立てかけた状態を維持できる。係止部１５ａ、ｂにおける係止機構は特に限定されず、たとえば、磁力作用に基づく係止部とすることができる。
【００３５】
また、図１や図４に示すように、本発明の格納型洗面装置の占有面積を有効に活用するために、格納室１１の上に１〜数個の収納部１４を備えることができる。また、図１や図２に示すように、受水盤５１から跳ねた水の拭き取りや排水管６１の修理を可能とするために、格納室１１の前面下方側に、引き扉６２を設けることができる。
【００３６】
図５が示すように、本発明の格納型洗面装置は、未使用時において、洗面盤３１を垂直方向に立てかけ、さらに引き扉６２を閉じることにより、格納室１１の前面を平坦化して、一体化した壁面となすことができる。図６に示すように、収納部１４の扉を鏡面扉１６とすれば、洗面のために必要とされる鏡、洗面台および収納棚をコンパクトに一体化したものを提供することができ、しかも未使用時には外部から洗面盤や水道口が見えずに壁面と一体化していることから、住居空間と調和した美観に優れた意匠を実現できる。
【００３７】
本発明の格納型洗面装置は、壁に埋め込むことによって室内の壁面と一体化することができるが、室内の壁から独立させて据え置き型としても利用できる。たとえば、本発明の格納型洗面装置を、既存の配管設置場所に据え置いて使用することができる。その際、本発明の格納型洗面装置と壁との間に隙間が生じた際は、本発明の格納型洗面装置を木枠などのモルティングで囲むようにすれば、該隙間を埋めることができる。
【００３８】
図２および図３において示されているように、本発明の格納型洗面装置の底面側に装置支持部６３を設けることによって、本発明の格納型洗面装置と床面との間に空間を設けることができる。また、装置支持部６３にアジャスターとしての機能を付加すれば、本発明の格納型洗面装置の床からの高さを調節することができ、利用者にとって快適な高さで洗面することができるようになる。
【００３９】
本発明の格納型洗面装置の各部材の材質は特に限定されず、当業者に知られているものを採用することができる。ただし、本発明の格納型洗面装置は、水跳ねを低減させたものであることから、格納室１１は撥水機能に乏しい材質のものとすることが期待できる。
【符号の説明】
【００４０】
１１  格納室
１２  開口部
１３  後壁面
１４  収納部
１５ａ，ｂ  係止部
１６  鏡面扉
２１  水道口
２２  支持台
２３  水平張り出し部
３１  洗面盤
３２  水を受ける面
３４  周壁右方部
３５  周壁左方部
３６  周壁後方部
３７  周壁前方部
３８  回動軸
３９  延長張り出し部
４０  貫通部
４１  背面
５１  受水盤
５２  後方張り出し部
５３  排水口
６１  排水管
６２  引き扉
６３  装置支持部
【図１】
2014018462.tif 000003
【図２】
2014018462.tif 000004
【図３】
2014018462.tif 000005
【図４】
2014018462.tif 000006
【図５】
2014018462.tif 000007
【図６】
2014018462.tif 000008